(57)【要約】【課題】情報の喪失および漏洩を低減させることができる通信システムを得ること。【解決手段】移動機２と移動機２とネットワーク経由で接続されるサーバ３とで構成される通信システムであって、移動機２は、ネットワークと無線接続する無線通信部５と、サーバ３に配信データ取得要求を送信する制御部７と、を備え、サーバ３は、移動機２に配信する配信データを蓄積し配信データ取得要求に基づいて配信データを移動機２に送信する蓄積部９、を備える。【選択図】        図１
2009260636.tif 000002
【特許請求の範囲】
【請求項１】
移動可能な無線端末と前記無線端末とネットワーク経由で接続されるサーバとで構成される通信システムであって、
前記無線端末は、
前記ネットワークと無線接続する無線通信部と、
前記サーバに配信データの取得を要求するための配信データ取得要求を送信する制御手段と、
を備え、
前記サーバは、
前記無線端末に配信する配信データを蓄積し、前記配信データ取得要求に基づいて配信データを前記無線端末に送信する蓄積手段、
を備えることを特徴とする通信システム。
【請求項２】
前記サーバは、
配信データとそのデータのアクセス権を有するユーザの識別子との対応を保持し、保持している対応に基づいて、前記配信データ取得要求に含まれるユーザの識別子が、要求された配信データに対するアクセス権を有するユーザであるかを判断するアクセス権管理手段、
をさらに備え、
前記蓄積手段は、前記アクセス権管理手段がアクセス権を有すると判断した場合に、前記配信データ取得要求に基づいて配信データを前記無線端末に送信することを特徴とする請求項１に記載の通信システム。
【請求項３】
前記無線端末は、
所定の個人認証処理を行う認証手段、
をさらに備え、
前記認証手段によって認証された場合に自端末の操作を可能とすることを特徴とする請求項１または２に記載の通信システム。
【請求項４】
ライセンス管理を要求される配信データであるライセンス管理データを格納し、前記配信データ取得要求に基づいて所定のライセンス確認処理によりライセンス確認を行い、ライセンス確認ができた場合に前記配信データ取得要求に基づいて前記無線端末にライセンス管理データを送信する情報格納装置、
をさらに備え、
前記サーバは、
前記ライセンス管理データとそのデータの格納場所とそのデータのライセンスを取得済みのユーザとをライセンス情報として保持し、前記配信データ取得要求で取得を要求された配信データがライセンス管理データであった場合、前記ライセンス情報に基づいて前記データ取得要求で取得を要求された配信データが有効であるか否かを判断し、有効であると判断した場合に、前記配信データ取得要求を前記情報格納装置に送信するライセンス管理手段、
をさらに備えることを特徴とする請求項１、２または３に記載の通信システム。
【請求項５】
移動可能な無線端末とネットワーク経由で接続されるサーバであって、
前記無線端末に配信する配信データを蓄積し、配信データの取得を要求するために前記無線端末から送信された配信データ取得要求に基づいて配信データを前記無線端末に送信する蓄積手段、
を備えることを特徴とするサーバ。
【発明の詳細な説明】
【技術分野】
【０００１】
本発明は、移動可能な無線端末に情報を配信する通信システムおよびサーバに関する。
【背景技術】
【０００２】
近年、無線携帯端末を用いたさまざまなサービスが普及してきており、無線携帯端末に対して多量の情報を配信するサービスも増加している。このようなサービスを実施する従来技術として、たとえば、下記特許文献１に記載の技術が開示されている。下記特許文献１では、携帯無線通信端末は、携帯電話網およびインターネットを介して情報サーバから情報を取得する。取得した情報が大容量データである場合、その情報は、携帯無線通信端末に付随して接続されるノート型コンピュータのような外部ローカル処理サーバ端末のメモリに蓄積される。このように、携帯無線通信端末に情報を蓄積しないことで、携帯無線通信端末が情報の安全性を確保している。
【０００３】
【特許文献１】特開２００１−２１８２７０号公報
【発明の開示】
【発明が解決しようとする課題】
【０００４】
しかしながら、上記従来の技術によれば、情報が携帯無線通信端末に付随する外部ローカル処理サーバ端末に保存されるため、携帯無線通信端末とともに外部ローカル処理サーバ端末も携帯する必要がある。そのため、ユーザが携帯する装置（携帯無線通信端末および外部ローカル処理サーバ端末）が大規模となり、また、紛失や故障などにより外部ローカル処理サーバ端末に保存された情報が失われたり漏洩したりする可能性がある、という問題があった。
【０００５】
本発明は、上記に鑑みてなされたものであって、ユーザが携帯する装置を最小限とし、また、情報の喪失および漏洩を低減させることができる通信システムおよびサーバを得ることを目的とする。
【課題を解決するための手段】
【０００６】
上述した課題を解決し、目的を達成するために、本発明は、移動可能な無線端末と前記無線端末とネットワーク経由で接続されるサーバとで構成される通信システムであって、前記無線端末は、前記ネットワークと無線接続する無線通信部と、前記サーバに配信データの取得を要求するための配信データ取得要求を送信する制御手段と、前記サーバは、前記無線端末に配信する配信データを蓄積し、前記配信データ取得要求に基づいて配信データを前記無線端末に送信する蓄積手段、を備えることを特徴とする。
【発明の効果】
【０００７】
この発明によれば、無線端末に配信する情報をサーバの蓄積手段が蓄積し、無線端末は配信を要求する情報をサーバから取得するようにしたので、ユーザが携帯する装置を従来に比べ簡略化し、また、情報が失われることを防ぐことができる、という効果を奏する。
【発明を実施するための最良の形態】
【０００８】
以下に、本発明にかかる通信システムおよびサーバの実施の形態を図面に基づいて詳細に説明する。なお、この実施の形態によりこの発明が限定されるものではない。
【０００９】
実施の形態１．
図１は、本発明にかかる通信システムの実施の形態１の構成例を示す図である。図１に示すように本実施の形態の通信システム１は、移動機２とサーバ３で構成され、移動機２とサーバ３は携帯電話網４経由で接続されている。本実施の形態では、無線端末として移動機２を用いる例について説明する。本実施の形態の移動機２は、携帯電話網と無線通信を行う無線通信部５と、画面表示などの映像出力を行う視聴部６と、移動機２の各部を制御する制御部７と、ユーザの入力操作を受け付ける入力部８と、を備えている。また、本実施の形態のサーバ３は、各種情報を蓄積するための蓄積部９を備えている。
【００１０】
本実施の形態では、移動機２は情報の蓄積部を持たず、ユーザが各種情報を視聴する場合には、サーバ３の蓄積部９に格納されている情報を取り出す。サーバ３の蓄積部９には、ユーザが視聴するための各種情報があらかじめ格納されている。また、この情報は、サーバ３の直接操作または携帯電話網４や他のネットワーク経由で、必要に応じて更新，削除，追加される。
【００１１】
つづいて、本実施の形態の動作について説明する。図２は、本実施の形態の映像データ配信に関する動作の一例を示すフローチャートである。図２に示すように、まず、ユーザが移動機２の入力部８を操作することにより映像視聴指示を入力する（ステップＳ１）。この映像視聴指示には、視聴を要求する映像を指定する情報（映像指定情報）が含まれていることとする。つぎに、移動機２の制御部７は、そのステップＳ１の指示を解釈して無線通信部５に、映像の取得を要求するための映像視聴要求を送信するよう指示する（ステップＳ２）。無線通信部５は、その指示に従って映像視聴要求を携帯電話網４に送信する（ステップＳ３）。映像視聴要求には、ステップＳ１で送信された映像視聴指示で指定された映像指定情報が含まれている。
【００１２】
つぎに、サーバ３の蓄積部９は、ステップＳ３で送信された映像視聴要求を携帯電話網４経由で受信すると、その映像視聴要求に含まれる映像指定情報に対応する映像データを検索する（ステップＳ４）。そして、検索して得られた映像データを携帯電話網４経由で移動機２に送信する（ステップＳ５）。
【００１３】
移動機２の無線通信部５は、携帯電話網４経由で映像データを受信し、制御部７へ渡す(ステップＳ６)。制御部７は、その映像データ（音声データを含んでいてもよい）を展開する（ステップＳ７）。なお、ここで、展開とは映像データが圧縮されている場合の伸張などの処理のことであり、映像データが圧縮されていない場合は、データ展開の処理は行わなくてもよい。視聴部６へ映像出力命令として出力する（ステップＳ８）。映像データの伸張を行う。視聴部６は、その命令に従って映像データを画面表示することにより映像出力を行い（ステップＳ９）、ユーザはその映像出力を視聴することができる。このとき、視聴部６は映像データに音声データが含まれている場合には音声出力も行う。
【００１４】
ここでは、データ配信の一例として映像データ配信を例にあげて説明したが、映像データ以外の他のデータ（音声データ、各種データベース情報など）の配信についても同様の手順で配信することができる。この場合、移動機２は、配信を希望する情報の識別子（識別するための情報）を含むデータ配信要求をサーバ３へ送信すればよい。
【００１５】
なお、本実施の形態では、移動機２とサーバ３の間が携帯電話網４で接続されるようにしたが、携帯電話網４の替わりに音声通信網、パケット網、インターネット網等としてもよく、またこれらの複数のネットワーク網の組合せで成立するネットワーク網としてもよい。
【００１６】
このように、本実施の形態では、移動機２に配信する情報をサーバ３の蓄積部９が蓄積し、移動機２は配信を要求する情報をサーバ３から取得するようにした。このため、移動機２は情報を蓄積しないため、移動機２の紛失や故障などによる情報の喪失や漏洩を防ぐことができる。また、移動機２は蓄積部を持つ必要がなく、また、従来技術のように移動機に付随する外部ローカル処理端末を携帯する必要もないため、ユーザの携帯する装置の構成を簡略化することができる。
【００１７】
実施の形態２．
図３は、本発明にかかる通信システムの実施の形態２の構成例を示す図である。図３に示すように、本実施の形態の通信システム１ａは、実施の形態１の通信システム１のサーバ３をサーバ３ａに替える以外は実施の形態１の通信システム１と同様である。また、本実施の形態のサーバ３ａは、実施の形態１のサーバ３にアクセス管理部１０を追加する以外は実施の形態１のサーバ３と同様である。実施の形態１と同様の機能を有する構成要素は実施の形態１と同一の符号を付して説明を省略する。
【００１８】
本実施の形態のサーバ３ａのアクセス管理部１０は、移動機２から送信されたデータ配信要求に対し、その要求の対象となるデータへのアクセス権を持つか（アクセス権を持つ移動機またはユーザから送信されたか）を判定し、アクセス権を持つ場合に限って要求されたデータを出力する。ここで、アクセス権を持つかの判定は、移動機の固有番号，移動機の通信インターフェースの固有番号，ユーザＩＤ，パスワード情報，デジタル証明書等を用いて行うこととする。なお、アクセス権は、移動機のハードウェア単位で付与するようにしてもよいし、ユーザ単位で付与するようにしてもよい。
【００１９】
つづいて、本実施の形態の動作について説明する。図４は、本実施の形態の映像データ配信に関する動作の一例を示すフローチャートである。実施の形態１と同様のステップについては、同一のステップ番号を付して説明を省略する。
【００２０】
まず、ステップＳ１〜ステップＳ３は、実施の形態１と同様である。ただし、ステップＳ３で送信される映像視聴要求には、前述のアクセス権を持つかの判定に用いる情報（以下、アクセス権識別情報という）を含むこととする。ステップＳ３の後、サーバ３ａのアクセス管理部１０はステップＳ３で送信された映像視聴要求に含まれるアクセス権識別情報を参照し、要求されたデータに対してアクセス権を持つ移動機（またはユーザ）であるか否かを判定する（ステップＳ１０：アクセス権確認）。なお、アクセス権を持つ移動機（またはユーザ）のアクセス権識別情報は、アクセス管理部１０があらかじめ保持していることとする。
【００２１】
ステップＳ１０でアクセス権を持たないと判定した場合には、サーバ３ａは移動機２に情報は配信せず、そのまま処理を終了する。以下、ステップＳ１０でアクセス権を持つと判定した場合について説明する。ステップＳ１０の後、アクセス管理部１０は、映像視聴要求を蓄積部９に転送する（ステップＳ１１）。ステップＳ４〜ステップＳ９は実施の形態１と同様である。
【００２２】
このように、本実施の形態では、移動機２から映像視聴要求があった場合に、要求の対象となるデータに対するアクセス権があるかを確認し、アクセス権がある場合に要求されたデータを移動機２に送信するようにした。このため、アクセス権の無い移動機またはユーザによる情報取得を防ぐことができる。
【００２３】
実施の形態３．
図５は、本発明にかかる通信システムの実施の形態３の構成例を示す図である。図５に示すように、本実施の形態の通信システム１ｂは、実施の形態１の通信システム１の移動機２を移動機２ａに替える以外は、実施の形態１の通信システム１と同様である。また、本実施の形態の移動機２ａは、実施の形態１の移動機２に認証部１１を追加する以外は実施の形態１の移動機２と同様である。実施の形態１と同様の機能を有する構成要素は実施の形態１と同一の符号を付して説明を省略する。
【００２４】
本実施の形態の移動機２ａの認証部１１は、移動機２ａの使用権を確認する。本実施の形態では、ユーザが移動機２ａを使用する際、たとえば、指紋認証等により使用権を持つユーザかどうかを認証部１１が判定（個人認証）し、使用権を持つユーザに限ってその移動機２ａの使用を可能にする。
【００２５】
個人認証の実現方法としては、指紋認証のほか、掌形，網膜，虹彩，顔，血管，音声，耳形，筆跡，キーストローク，リップムーブメント，まばたき等の生体認証技術の利用が考えられる。また、パスワード入力による個人認証も可能である。
【００２６】
本実施の形態では、移動機２ａの操作開始時に上述のような個人認証を行い、認証された場合に、実施の形態１で述べた映像視聴指示を含む移動機２の操作（使用）ができるようになる。
【００２７】
本実施の形態の個人認証に関する処理以外の動作は実施の形態１と同様である。また、本実施の形態のサーバ３を実施の形態２のサーバ３ａに替え、実施の形態２と同様の動作に個人認証の処理を追加するようにしてもよい。
【００２８】
このように、本実施の形態では、移動機２ａの操作開始時に個人認証を行い、認証された場合にユーザからの映像視聴指示を受け付けるようにした。このため、正規のユーザ以外の移動機２ａの使用を防ぐことができる。
【００２９】
実施の形態４．
図６は、本発明にかかる通信システムの実施の形態４の構成例を示す図である。図６に示すように、本実施の形態の通信システム１ｃは、実施の形態１の通信システム１のサーバ３をサーバ３ｂに替え、情報サーバ１３を追加する以外は実施の形態１の通信システム１と同様である。また、本実施の形態のサーバ３ｂは、実施の形態１のサーバ３にライセンス管理部１２を追加する以外は実施の形態１のサーバ３と同様である。実施の形態１と同様の機能を有する構成要素は実施の形態１と同一の符号を付して説明を省略する。
【００３０】
本実施の形態の情報サーバ１３は、移動機２へ配信するための情報（配信情報）を保持しているサーバである。また、本実施の形態のサーバ３ｂのライセンス管理部１２は配信情報の格納場所（この場合は情報サーバ１３）やライセンスを管理し、移動機２からデータ配信の要求があった際に、ライセンスが確認された場合に情報サーバ１３から配信が要求されたデータを取得する。このように、本実施の形態では、サーバ３ｂが配信情報のライセンスと格納場所を管理しているため、ユーザは配信を要求する情報がどのサーバに格納されているのかを意識する必要がない。なお、本実施の形態では、配信される情報は唯一情報サーバのみに保管され、移動機や他のサーバへの複製や移動はできないこととする。
【００３１】
また、本実施の形態では、ライセンス管理部１２はサーバ３ｂが備えるようにしたが、ライセンス管理部１２は携帯電話網４に接続された別のサーバが備えるようにしてもよい。
【００３２】
つづいて、本実施の形態の動作について説明する。図７は、本実施の形態のライセンス保護された情報のデータ配信処理手順の一例を示すフローチャートである。まず、ユーザが移動機２の入力部８を操作し情報の視聴ライセンスの購入の指示をすると、移動機２の制御部７はその指示に基づいたライセンス購入要求を携帯電話網４経由で情報サーバ１３へ送信する（ステップＳ２０）。ライセンス購入要求には、購入を要求する情報の識別子とユーザの識別子を含むこととする。ユーザの識別子としては、移動機２を使用するユーザのＩＤなどを用いてもよいし、移動機２をユーザと１対１に対応するとし、移動機２の識別子を用いてもよい。
【００３３】
情報サーバ１３は、ステップＳ２０で送信されたライセンス購入要求に基づいて、所定のライセンス発行処理を行う（ステップＳ２１）。そして、情報サーバ１３は、ライセンス発行処理により発行されたライセンスに関する情報をライセンス発行通知としてサーバ３ｂへ送信する（ステップＳ２２）。ライセンス発行通知には、発行されたライセンスに対応する配信情報の識別子とその配信情報の格納先とユーザの識別子とを含むこととする。
【００３４】
そして、サーバ３ｂのライセンス管理部１２は、ライセンス発行通知に含まれる情報をライセンス情報として格納する（ステップＳ２３）。そして、ライセンス管理部１２は、ライセンス購入処理が完了したことを通知するためのライセンス購入完了通知を移動機２に送信する（ステップＳ２４）。ここまでの処理がライセンス購入処理であり、ユーザはこれ以降、購入したライセンスに対応する情報が視聴可能となる。
【００３５】
つぎに、ユーザが移動機２の入力部８を操作して情報配信の指示をすると、制御部７は、その指示に基づいて情報配信要求を携帯電話網４経由でサーバ３ｂへ送信する（ステップＳ２５）。サーバ３ｂのライセンス管理部１２は、格納しておいたライセンス情報を参照してライセンスが有効であるかの確認をして、ライセンスが有効であると確認された場合にはライセンス情報から要求された情報の格納先（この場合は情報サーバ１３）を検索する（ステップＳ２６）。ライセンスが有効であるか否かの確認は、ライセンス情報としてそのユーザが購入済みの配信データとそのライセンスの有効期限などライセンスの有効無効の判断に必要な情報を格納しておき、その情報に基づいて確認を行う。
【００３６】
そして、検索結果として得られた格納先（この場合は情報サーバ１３）へ情報配信要求を送信する（ステップＳ２７）。情報サーバ１３は、送信された情報配信要求に対する所定のライセンス確認の手続きをサーバ３ｂとの間で行う（ステップＳ２８）。そして、情報サーバ１３は、ライセンスの確認ができた場合、そのライセンスに対応する情報を携帯電話網４経由で移動機２に送信する（ステップＳ２９）。
【００３７】
なお、ライセンス保護されていない情報については、情報サーバ１３が情報を格納しておき、サーバ３ｂが情報の格納場所を管理し、移動機２から配信要求のあった場合に対応する情報を情報サーバ１３から読み出すようにしてもよいし、実施の形態１と同様の動作によりデータ配信を行ってもよい。
【００３８】
また、本実施の形態のサーバ３ｂの替わりに、実施の形態２のサーバ３ａにライセンス管理部１２を追加した構成のサーバを用いて、ライセンス保護されていない情報についてアクセス権確認の動作を行うようにしてもよい。
【００３９】
また、本実施の形態の移動機２の替わりに実施の形態３の移動機２ａを用い、本実施の形態の動作に加え、個人認証の動作ができるようにしてもよい。この場合に、さらに、本実施の形態のサーバ３ｂの替わりに、実施の形態２のサーバ３ａにライセンス管理部１２を追加した構成のサーバを用い、ライセンス保護されていない情報についてアクセス権確認の動作を行うようにしてもよい。
【００４０】
このように、本実施の形態では、情報サーバ１３が配信情報を格納し、サーバ３ｂのライセンス管理部１２がライセンス情報を格納する。そして、ライセンス管理部１２は、移動機２から情報の配信要求があった場合、対応する情報のライセンスの確認ができた（ライセンスを購入している場合）場合に、情報サーバ１３から対応する情報を取得して、移動機２に送信するようにした。このため、ライセンス保護の必要なデータの配信を実施することができる。
【産業上の利用可能性】
【００４１】
以上のように、本発明にかかる通信システムおよびサーバは、移動可能な無線端末に情報を配信する通信システムに有用であり、特に、携帯電話を用いた通信システムに適している。
【図面の簡単な説明】
【００４２】
【図１】本発明にかかる通信システムの実施の形態１の構成例を示す図である。
【図２】実施の形態１の映像データ配信に関する動作の一例を示すフローチャートである。
【図３】本発明にかかる通信システムの実施の形態２の構成例を示す図である。
【図４】本実施の形態の映像データ配信に関する動作の一例を示すフローチャートである。
【図５】本発明にかかる通信システムの実施の形態３の構成例を示す図である。
【図６】本発明にかかる通信システムの実施の形態４の構成例を示す図である。
【図７】実施の形態４のライセンス保護された情報のデータ配信処理手順の一例を示すフローチャートである。
【符号の説明】
【００４３】
１，１ａ，１ｂ，１ｃ  通信システム
２，２ａ  移動機
３，３ａ，３ｂ  サーバ
４  携帯電話網
５  無線通信部
６  視聴部
７  制御部
８  入力部
９  蓄積部
１０  アクセス管理部
１１  認証部
１２  ライセンス管理部
１３  情報サーバ
【図１】
2009260636.tif 000003
【図２】
2009260636.tif 000004
【図３】
2009260636.tif 000005
【図４】
2009260636.tif 000006
【図５】
2009260636.tif 000007
【図６】
2009260636.tif 000008
【図７】
2009260636.tif 000009